(57)【要約】【課題】観音開き状に開閉する左右一対のドア体の一方に、他方のドア体の閉鎖で施錠する自動施錠装置を設けたドア装置において、施錠が確実になるように構成する。【解決手段】床部となる沓摺７に、第一ドア体１の開放時では床面となる沓摺上片７ａと面一状となる非規制姿勢となり、第一ドア体１の閉鎖姿勢への変姿に伴い上方揺動して規制姿勢となって第一ドア１の揺動規制をする規制体１０を設けるとともに、沓摺７の第一ドア体１の戸尻側対向部位に位置して、開閉作動に追随して開閉方向にスライド変位する変位体１１を設けて、前記規制体１０と変位体１１との間に、第一ドア体１の閉鎖姿勢への変姿で規制体１０を規制姿勢に変姿する連繋手段１２を設ける構成とする。【選択図】図４
2008231770.tif 000002
【特許請求の範囲】
【請求項１】
躯体開口部を観音開き状に開閉揺動する左右一対の第一、第二ドア体を設けてなるドア装置において、第一ドア体を、第二ドア体に先行して閉鎖姿勢となるよう構成するとともに、後行して閉鎖姿勢となる第二ドア体の閉鎖姿勢への変姿で、第一ドア体の戸先側に上下方向移動自在に設けた施錠体が下方に突出し、床部に設けた錠受け具に係止するよう構成するにあたり、床部に、第一ドア体の開放時では床面と面一状となる非規制姿勢となり、第一ドア体の閉鎖姿勢への変姿に伴い床面から突出する規制姿勢となって第一ドアの揺動規制をする規制体を設けるとともに、床部の第一ドア体の戸尻側対向部位に位置して、開閉揺動に追随して開閉方向にスライド変位する変位体を設けて、前記規制体と変位体との間に、第一ドア体の閉鎖姿勢への変姿で規制体を規制姿勢に変姿する連繋手段が設けられているドア装置。
【請求項２】
規制体を、閉鎖姿勢の第一ドア体の戸先側対向部位に設けるものとし、連繋手段は、床部に内装されている請求項１に記載のドア装置。
【請求項３】
連繋手段は、変位体のスライド変位に伴い回転する回転体と、該回転体と一体回転して規制体を姿勢変姿せしめる作動片とを備え、規制体には規制姿勢を越える変姿を規制をするストッパ片が設けられている請求項２に記載のドア装置。
【発明の詳細な説明】
【技術分野】
【０００１】
本発明は、工場やオフィスビル等の建築物の開口部に設けられるドア装置の技術分野に属するものである。
【背景技術】
【０００２】
一般に、ドア装置は躯体開口部に固定されるドア枠に嵌め込まれているが、ドア枠には戸当たりが形成されたものがあり、この場合では、ドア体の閉鎖時においてドア体が戸当たりに当接することで、ドア体が戸当たりを越えて閉鎖方向に揺動することがなく、所定の閉鎖姿勢を保持できるようにしている。このようなドア枠において、ドア枠を左右一対の縦枠と上下一対の横枠とでドア体の四周を囲繞するように構成した場合に、下側の横枠であって床部を構成する沓摺には、人の出入りを考慮して戸当たりが形成されないことがある。このように、沓摺に戸当たりが形成されないドア枠に対し、観音開き状に開閉する左右一対の第一、第二ドア体を設ける構成とした場合、各ドア体の互いに対向する戸先側部位と下端部位とは戸当たりによる移動規制を受けることがなく、ドア体を勢いよく閉鎖したり風圧を受けることにより、各ドア体の戸先側下方部位がガタついて位置ズレし、所定の閉鎖姿勢にならないという問題がある。
ところで、左右一対の第一、第二ドア体を備えたドア装置において、前記第一ドア体を、第二ドア体に後行して開放する一方、先行して閉鎖姿勢となるよう構成するとともに、第一ドア体の戸先側に自動施錠装置を設けて、第二ドア体が閉鎖−開放作動することに伴い、自動施錠装置のロック体が第一ドア体の上下端面から出没作動して、上枠、沓摺に設けたロック体受け孔に係脱自在に嵌入し、これによって、第一ドア体の自動的な施錠−解錠がなされ、ドア装置の閉鎖時では第一ドア体の戸先に設けた召し合わせ片が戸当たりとして機能して、第二ドア体の揺動規制をするようにしたものが提唱されている。このようなものにおいて、沓摺を前述したように戸当たりが形成されないものとした場合では、第一ドア体の下方部位が位置ズレすることがあり、このようになると、戸先側のロック体と沓摺側のロック体受け孔とが位置ズレして、第一ドア体を自動施錠（係止）できなくなることがあって問題がある。
【０００３】
この改善策としては、第一ドア体の戸先側下端部に対向して戸当たりに相当する位置規制手段を設けることが提唱され、その一例として、ドア体が閉鎖姿勢になることに伴い、床面から規制体を上動させてドア体に係止させるように構成したものが提唱される。
【特許文献１】特開２００１−３６２７号公報
【発明の開示】
【発明が解決しようとする課題】
【０００４】
しかるに、前記従来の位置規制手段を前記自動左右一対の第一、第二ドア体を備えたドア装置に採用する場合、床部に設けた規制体を磁石の吸引力で床面から上動させる構成であるため、第一ドア体の戸先に磁石を設けた被係止部材が設けられており、該被係止部材は、第一ドア体が閉鎖姿勢となる直前で規制体を上動させるように構成するため、第一ドア体の閉鎖方向の面板に対し、該面板から閉鎖方向に突出状に設けられている。このため、被係止部材が邪魔であるばかりでなく意匠性に劣り、さらには、第一ドア体を開閉作動させる場合に、被係止部材が第一ドア体と一体になって開閉作動するため、第一ドア体の開放状態によっては通行者が被係止部材に躓いたり引っ掛かったりして、通行の妨げになるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、躯体開口部を観音開き状に開閉揺動する左右一対の第一、第二ドア体を設けてなるドア装置において、第一ドア体を、第二ドア体に先行して閉鎖姿勢となるよう構成するとともに、後行して閉鎖姿勢となる第二ドア体の閉鎖姿勢への変姿で、第一ドア体の戸先側に上下方向移動自在に設けた施錠体が下方に突出し、床部に設けた錠受け具に係止するよう構成するにあたり、床部に、第一ドア体の開放時では床面と面一状となる非規制姿勢となり、第一ドア体の閉鎖姿勢への変姿に伴い床面から突出する規制姿勢となって第一ドアの揺動規制をする規制体を設けるとともに、床部の第一ドア体の戸尻側対向部位に位置して、開閉揺動に追随して開閉方向にスライド変位する変位体を設けて、前記規制体と変位体との間に、第一ドア体の閉鎖姿勢への変姿で規制体を規制姿勢に変姿する連繋手段が設けられているドア装置である。
請求項２の発明は、規制体を、閉鎖姿勢の第一ドア体の戸先側対向部位に設けるものとし、連繋手段は、床部に内装されている請求項１に記載のドア装置である。
請求項３の発明は、連繋手段は、変位体のスライド変位に伴い回転する回転体と、該回転体と一体回転して規制体を姿勢変姿せしめる作動片とを備え、規制体には規制姿勢を越える変姿を規制をするストッパ片が設けられている請求項２に記載のドア装置である。
【発明の効果】
【０００６】
請求項１の発明とすることにより、閉鎖姿勢の第一ドア体が位置ズレを生じることがなく、自動施錠装置の施錠が確実になる構成でありながら、第一ドア体の意匠性を低下させることがなく、しかも、通行の妨げにならない構成とすることができる。
請求項２の発明とすることにより、通行の妨げにならないものでありながら、揺動規制を確実に行える。
請求項３の発明とすることにより、第一、第二ドア体が強く閉鎖されたような場合であっても、閉鎖姿勢に位置ずれを生じるようなことがなく、施錠不良を確実に防止できる。
【発明を実施するための最良の形態】
【０００７】
つぎに、本発明の実施の形態について、図面に基づいて説明する。
図面において、１、２は、躯体に開設された開口部に設けられるドア装置を構成する左右一対の第一、第二ドア体であって、図１において左側に位置する第一ドア体１は子扉として機能し、右側に位置する第二ドア体２は親扉として機能するように設定され、後述するように、親扉である第二ドア体２の開閉作動に伴い子扉である第一ドア体１の自動的な施錠−解錠がなされるとともに、第二ドア体２に設けた施錠具３による施錠によりドア装置の施錠がなされ、一方、第二ドア体２の施錠具３を操作して第二ドア体２の把手９を把持して開放作動することで第二ドア体２の開放も可能になるように設定されている。
【０００８】
一方、４は開口部の四周に固定されるドア枠であって、該ドア枠４は、開口部の左右側部に固定される左右一対の縦枠体５と、開口部の上部に固定される上枠体６、さらには、開口部の下部である床部に固定される沓摺７とにより構成されている。そして、前記第一ドア体１は、左側縁部を左縦枠体５に揺動支軸１ａを介して揺動自在に連結され、第二ドア体２は、右側縁部を右縦枠体５に揺動支軸２ａを介して揺動自在に連結されおり、これによって、第一、第二ドア体１、２は戸先側端部同士が互いに隣接する状態となり開口部を閉鎖する閉鎖姿勢と、戸先側端部が前方（図１の図面手前側）に揺動する開放姿勢との間を観音開き状に開閉揺動するように構成されている。
【０００９】
前記左右の縦枠体５および上枠体６は、前方（各ドア体１、２の開放方向側）に位置して枠片５ａ、６ａが形成されており、第一、第二ドア体１、２が閉鎖姿勢になることに伴い戸尻側端面１ｂ、２ｂ、上側端面１ｃ、２ｃがそれぞれ近接対向するように設定されている。さらに、枠片５ａ、６ａの後方（各ドア体１、２の閉鎖方向側）には、開口部内側に折曲し、各ドア体１、２の閉鎖側面部１ｄ、２ｄにおける戸尻側部位および上側部位が近接対向する戸当たり片５ｂ、６ｂが形成されており、ここに、各ドア体１、２の閉鎖側面部１ｄ、２ｄに当接する緩衝材５ｃ、６ｃがそれぞれ設けられている。また、床部に固定される沓摺７は、床部を構成する床面Ｆよりも僅かに（略板厚分だけ）上位に位置する上片７ａと、該上片７ａの前後両縁部から下方に延出して床部に埋設される一対の脚片７ｂとにより断面略Ｃ字形に形成されている。さらに、沓摺上片７ａは、第一、第二ドア体１、２が閉鎖姿勢になったとき、第一、第二ドア体１、２の閉鎖方向に延出するよう幅広に形成され、縦枠体５、上枠体６の開閉方向幅と略同様の幅寸法に形成されている。
【００１０】
そして、前記第一、第二ドア体１、２のうち、第一ドア体１の戸先側には上下に位置して自動施錠装置８がそれぞれ設けられている。尚、自動施錠装置８は汎用のものが用いられており、ここでは、第一ドア体１の下方に設けられる自動施錠具８について簡単に説明し、上方に設けられる自動施錠装置８についての説明は省略する。
前記下方に設けられる自動施錠装置８は、第一ドア体１の下端部のドア厚内に一体的に設けられた下片部１ｅに上下方向移動自在に支持されるロック体（本発明の施錠体に相当する）８ａを備えて構成されており、該ロック体８ａは、第一ドア体１の下端縁よりも下方に突出する施錠姿勢と下端縁よりも上位に位置する解錠姿勢とに変位するように設定されている。前記ロック体８ａは、自動施錠装置８の作動片８ｂに連繋されており、該作動片８ｂは、第一ドア体１の戸先側端面１ｆから出没自在で、かつ、突出方向に付勢された状態となっている。そして、作動片８ｂが付勢力に抗して強制的に没入せしめられている状態ではロック体８ａが施錠姿勢に変姿し、作動片８ｂが付勢力を受けて戸先側端面１ｆから突出する状態に復帰することによりロック体８ａを解錠姿勢に変姿させるように連繋されている。
一方、開口部床部側を構成する沓摺上片７ａには、第一ドア体１の閉鎖姿勢において下端面から下方に突出するロック体８ａが嵌入して係止されるロック体受け孔７ｃが開設され、該ロック体受け孔７ｃの下方には凹溝状のロック体受け凹溝７ｄが床部に設けられており、これらロック体受け孔７ｃおよびロック体受け凹溝７ｄが本発明の錠受け具に相当している。
【００１１】
また、第一、第二ドア体１、２との間には図示しない連動手段が設けられており、開放作動においては第一ドア体１に先行して第二ドア体２が開放し、閉鎖作動において第一ドア体１が第二ドア体２に先行して閉鎖姿勢となるように構成されている。
そして、第一ドア体１が第二ドア体２に先行して閉鎖姿勢となり、続いて第二ドア体２が閉鎖姿勢となると、第一ドア体１の戸先側端面１ｆから突出する作動体８ｂが第二ドア体２の戸先側端面２ｅに設けられた操作片２ｆより強制的に押圧されて没入し、自動施錠装置８のロック体８ａを下方に向けて突出し、ロック体８ａがロック体受け孔７ｃを貫通してロック体受け凹溝７ｄに嵌入する施錠姿勢となるように設定されており、これによって、自動施錠装置８による第一ドア体１の施錠がなされるように設定されている。このとき、第二ドア体２は、閉鎖側面部２ｄが、自動施錠装置８により施錠された第一ドア体１の閉鎖側面部１ｄに形成される召し合わせ片１ｇに対向することになり、召し合わせ片１ｇが戸当たりとして機能して、第二ドア体２の閉鎖方向への揺動規制をするように構成されている。尚、２ｇは、第二ドア体の開放側面部から第一ドア体１側に延出する召し合わせ片である。
【００１２】
前記ドア装置の閉鎖姿勢において、第二ドア体２の施錠具３を施錠することにより、第一、第二ドア体１、２がともにロック状態となって開放しないように構成されている。
一方、前記閉鎖姿勢から開放作動する場合では、施錠具３を解錠し、第一ドア体１に設けた把手９を把持して開放することにより、第一ドア体１が第二ドア体２に先行して開放作動されるように設定されている。そしてこのとき、第二ドア体２の操作片２ｆによる自動施錠装置作動体８ｂの押圧が解除され、作動体８ｂが第一ドア体１の戸先側端面１ｆから突出し、ロック体８ａをロック体受け凹溝７ｄおよびロック体受け孔７ｃから退避する解錠姿勢に変姿せしめ、これによって、第一ドア体１の解錠がなされるように設定されており、このように、第一ドア体１は第二ドア体２の開閉作動に連動して自動的な施錠−解錠がなされるように設定されている。
【００１３】
そして、本実施の形態において、沓摺７は、脚片７ｂが床部に埋設される状態で支持されており、上片７ａの下方には予め設定される空隙部Ｓが形成されている。前記沓摺７の上片７ａには、第一ドア体１の戸先側部位であって、自動施錠装置８のロック体８ａが嵌入するロック体受け凹溝７ｄ配設部位とは干渉しない部位に位置して第一開口７ｅが開設されている。前記第一開口７ｅは、閉鎖姿勢の第一ドア体１の閉鎖側部位に対向する部位から閉鎖姿勢の第一ドア体１よりも閉鎖側部位に至る状態で矩形状に形成されており、ここに、第一開口７ｅと同形状に形成されたプレート状の規制体１０が、第一開口７ｅを開閉自在とする状態で設けられている。つまり、規制体１０は、閉鎖側縁部１０ａと第一開口７ｅの閉鎖側孔縁部とが丁番１０ｂにより連結されており、これによって、規制体１０は閉鎖側縁部１０ａが沓摺７により支持され、規制体１０の開放側縁部１０ｃが上下方向に揺動して第一開口７ｅを開閉自在とするように設定されている。そして、規制体１０は、後述するように、開放側縁部１０ｃが連繋手段１２により支持されることにより、床部を構成する沓摺上片７ａの上面と面一状になって第一開口７ｅを閉鎖して通行の邪魔にならない非規制姿勢と、開放側縁部１０ｃが上方揺動して第一開口７ｅの上方に位置し、沓摺上片７ａに対して傾斜状となる姿勢となって、開放側縁部１０ｃが閉鎖姿勢の第一ドア体１の閉鎖側面部１ｄの閉鎖側から当接して第一ドア体１の閉鎖姿勢を越える閉鎖側への揺動を規制する規制姿勢との間を揺動変姿するように構成されている。
尚、１０ｄは規制体１０の開放側部位に設けられたストッパ片であって、該ストッパ片１０ｄは、規制体１０が規制姿勢になることに伴い第一開口７ｅの開放側孔縁部に係止して、規制体１０が規制姿勢を越えて上方揺動するのを規制するように構成されている。
【００１４】
一方、沓摺上片７ａの第一ドア体１の戸尻側部位には矩形状の第二開口７ｆが開設されるが、該第二開口７ｆは、閉鎖姿勢の第一ドア体１の閉鎖側部位に対向する部位から第一ドア体１よりも閉鎖方向に至る状態で形成されている。そして、第二開口７ｆに、本発明の変位体に相当するスライド変位体１１の下端部が遊嵌し、開閉方向にスライド変位自在となるように配設されている。前記スライド変位体１１は、沓摺上片７ａよりも上方に突出し、第一ドア体１の閉鎖側面部１ｄの戸尻側下端部に離接自在に当接する本体部１１ａを備えて構成されており、該本体部１１ａの下方には、沓摺上片７ａの下方の空隙部Ｓにおいて閉鎖方向に水平状に延出するプレート部１１ｂが一体形成されており、本体部１１ａの開閉方向のスライド変位に伴いプレート部１１ｂが沓摺上片７ａの下面に沿って開閉方向に移動するように構成されている。そして、スライド変位体プレート部１１ｂの下面には、前記連繋手段１２を構成するピニオン１３に噛合する歯体１１ｃが形成され、プレート部１１ｂをラックとして機能するように構成されている。さらに、プレート部１１ｂの開放側端部には、引っ張り弾機１１ｄの一端部が固定されており、該引っ張り弾機１１ｄの他端部は、沓摺上片７ａの開放側部位に固定されている。これによって、スライド変位体１１は、本体部１１ａが第二開口７ｆの開放側孔縁部に係止する非作用姿勢に向けて付勢されるように設定されている。
そして、スライド変位体１１は、本体部１１ａが第二開口７ｆの開放側孔縁部に当接する非作用姿勢では、閉鎖姿勢の第一ドア体１の閉鎖側面部１ｄ位置より開放側に位置するように設定されており、この状態から、第一ドア体１が閉鎖作動することにより、第一ドア体１の閉鎖作動に伴い閉鎖側面部１ｄに押圧され、第一ドア体１の閉鎖作動に追随する状態で閉鎖方向にスライド変位し、第二開口７ｆの閉鎖側孔縁部に近接する作用姿勢となり、第一ドア体１が開放作動することにより、引っ張り弾機１１ｄの付勢力を受け、第一ドア体１の開放作動に追随する状態で開放方向にスライド変位して、前記非作用姿勢となるように構成されている。
【００１５】
前記連繋手段１２は規制体１０とスライド変位体１１とを連繋して、第一ドア体１の開閉作動に伴い、規制体１０を前記非規制姿勢と規制姿勢とに変姿させるように構成されており、該連繋手段１２は、沓摺上片７ａの下方の空隙部Ｓに収容されるように構成され、これによって、規制体１０を上下揺動せしめる連繋手段１２が開口部に露出して、通行を妨げるようなことがないように構成されている。
前記連繋手段１２は、スライド変位体プレート部１１ｂの歯体１１ｃに噛合するべく、プレート部１１ｂの下方に回転自在に配されるピニオン１３を備えて構成され、スライド変位体１１の開閉方向のスライド変位により、ピニオン１３が正逆回転するように構成されている。前記ピニオン１３の軸芯部には、左右方向に伸長する作動ロッド１４の基端部が一体的に嵌入されており、作動ロッド１４がピニオン１３とともに一体回転するように設定されている。そして、作動ロッド１４の先端部である戸先側端部は、前記規制体１０の下方に対向する部位にまで延出しており、該先端部に、回転体１５が一体的に外嵌固定されている。そして、回転体１５は、ピニオン１３の正逆回転が作動ロッド１４を介して連動連結される状態となって正逆回転するように構成されている。そして、前記回転体１５の外周面には、先端が規制体１０の開放側縁部１０ｃに干渉する作動アーム（本発明の作動片に相当する）１５ａの基端部が一体的に固定されており、前記回転体１５の回転に伴い作動アーム１５ａが一体に回転し、作動アーム１５ａの先端部を上下に変位させるように構成されている。
【００１６】
そして、連繋手段１２は、第一ドア体１が開放していてスライド変位体本体部１１ａに第一ドア体１が干渉しない自然状態であって、スライド変位体１１が非作用姿勢にある状態では、回転体１５の作動アーム１５ａの先端部を沓摺上片７ａより下方に位置し、規制体１０が第一開口７ｅを閉鎖して沓摺上片７ａの上面と面一状となる非規制姿勢となるように開放側縁部１０ｃを支持するように設定されている。
これに対し、連繋手段１２は、第一ドア体１が閉鎖姿勢となり、スライド変位体本体部１１ａが引っ張り弾機１１ｄの付勢力に抗して閉鎖側にスライド変位した状態であって、スライド変位体が作用姿勢にある状態では、ピニオン１３が所定の回転角度において強制回転し、作動ロッド１４を介して回転体１５の作動アーム１５ａの先端部を上方変位させ、規制体１０の開放側縁部１０ｃが上動（上方揺動）する規制姿勢となるように支持するように設定されている。尚、規制体１０の規制姿勢において、規制体１０は、ストッパ片１０ｄが第一開口７ｅの開放側孔縁部に係止する状態となっている。これによって、第一ドア体１が勢いよく閉鎖されたり、風圧等によって強く閉鎖方向に押しやられて規制体１０を押圧したとしても、規制体１０はストッパ片１０ｄにより前記傾斜する規制姿勢を越えて閉鎖側に揺動することがないので、第一ドア体１を閉鎖方向に揺動させることがなく、もって、第一ドア体１の閉鎖姿勢を越える揺動を回避できるように構成されている。
因みに、連繋手段１２による規制体１０の揺動量は、スライド変位体１１のスライド変位量、ピニオン１３の径、回転体１５の径、作動アーム１５ａの取り付け姿勢、長さ等の設定により適宜設定することができ、これらに基づいて第一ドア体１の閉鎖状態に対する規制体１０の上方揺動のタイミングを適宜設定することができる。
【００１７】
このように構成されたドア装置において、第一ドア体１が開放姿勢にある状態では、スライド変位体１１が非作用姿勢となって規制体１０を第一開口７ｅを閉鎖する非規制姿勢になっている。これによって、第一ドア体１の開放姿勢では、開口部の戸尻側には、スライド変位体１１の本体部１１ａが沓摺上片７ａから突出する状態で配設されているが、開口部の戸先側対向部位に配設される規制体１０は、第一開口７ｅを閉鎖する非規制姿勢となっていて、通行の妨げになるようなことがないように構成されている。
【００１８】
一方、第一ドア体１が閉鎖作動して閉鎖姿勢に近付くと、第一ドア体１の閉鎖側面部１ｄがスライド変位体１１の本体部１１ａに当接し、第一ドア体１が閉鎖姿勢に変姿することに伴い、本体部１１ａが引っ張り弾機１１ｄの付勢力に抗して閉鎖側に押圧し、これによって、スライド変位体１１は本体部１１ａが第二開口７ｆの閉鎖側孔縁部に当接する作用姿勢になるように設定されている。そして、スライド変位体１１が非作用姿勢から作用姿勢に変姿する過程で、規制体１０は非規制姿勢から次第に上動し、第一ドア体１が閉鎖姿勢になることにタイミングを合わせて規制姿勢となって、第一ドア体１の閉鎖姿勢を越える閉鎖方向への揺動が規制されて、閉鎖姿勢における第一ドア体１の戸先側下方部位の位置ズレを防止するように設定されている。
【００１９】
そして、このように閉鎖姿勢の第一ドア体１に対して第二ドア体２を閉鎖姿勢とすることにより、自動施錠装置８のロック体８ａが施錠姿勢となって、第一ドア体１を施錠状態とするが、この場合に、第一ドア体１は規制体１０による揺動規制がなされた状態で所定の閉鎖姿勢に保持されていて、ロック体８ａが配される戸先側下端部に位置ズレを生じるようなことがなく、ロック体８ａのロック受け孔７ｃへの貫通が確実となるように構成されている。また、この第二ドア体２の閉鎖姿勢において、第一ドア体１の召し合わせ片１ｇが第二ドア体２の閉鎖方向への揺動規制をすることになるが、このとき、第一ドア体１は、前述したように、規制体１０による閉鎖方向への揺動規制がなされているので第二ドア体２が勢いよく閉鎖されたような場合であっても第二ドア体２を受け止めることができ、第一、第二ドア体１、２を位置ズレのない閉鎖姿勢とすることができる。
【００２０】
また、前記ドア装置の閉鎖姿勢から第二ドア体２を開放させることにより、第一ドア体１が解錠状態となり、この状態から第一ドア体１を開放させる場合では、第一ドア体１によるスライド変位体１１の押圧がなくなることに伴い、スライド変位体１１は、引っ張り弾機１１ｄの付勢力を受けて第二開口７ｆの開放側縁部に弾圧する非作用姿勢となり、規制体１０を非規制姿勢に変姿するように設定されている。
ここで、本実施の形態における規制体１０は、開口部において沓摺上片７ａの上面から上方に突出して第一ドア体１の揺動規制をすることになるが、図４に示すように、第一ドア体１が開放角度４５度よりも閉鎖側に閉鎖していて開口部が閉鎖された状態になることにタイミングを合わせて、第一ドア体１がスライド変位体１１に当接して規制体１０の上方揺動を開始する構成となっているので、規制体１０が通行の妨げとなるようなことがないように構成されている。
【００２１】
叙述の如く構成された本形態において、第一、第二ドア体１、２を閉鎖姿勢とする場合に、先行して閉鎖姿勢となる第一ドア体１は、閉鎖姿勢となることに伴い、第一ドア体１の戸尻側に設けられているスライド変位体１１を押圧し、これによって、閉鎖姿勢の第一ドア体１の戸先側に設けられた規制体１０が上方揺動し、第一ドア体１は閉鎖姿勢を越える閉鎖方向への揺動が規制された状態となって、位置ズレすることがない。これによって、第二ドア体２の閉鎖により第一ドア体１の自動施錠装置８による施錠が確実になされて、従来のように、自動施錠装置８による施錠がなされなくなるような不具合を回避できる。しかも、このものでは、沓摺７の左右方向中間部となる部位に規制体１０を設けて、該規制体１０を上方揺動させる構成であるが、該規制体１０は、第一ドア体１の開放姿勢では、沓摺上片７ａと面一状となって、開口部の通行の妨げになるようなことはない。しかも、第一ドア体１には何ら部材を設ける必要がなく、意匠性の低下を来すこともない。
このように、本発明が実施されたものにあっては、第一ドア体１が閉鎖姿勢になったときに、第一ドア体１の戸先側下方部位に位置ズレを生じることがなく、自動施錠装置８の施錠が確実になされるようにできる。この結果、第二ドア体２の閉鎖姿勢に位置ズレが生じることもなくなって、施錠具３による施錠が確実になって、ドア装置の施錠不良を生じることがない。
【００２２】
また、このものにおいて、スライド変位体１１は、沓摺７の、第一ドア体１の戸尻側となる部位に位置して設けられ、規制体１０が閉鎖姿勢の第一ドア体１の戸先側対向部位に設けられるので、第一ドア体１の開放時における通行の妨げにならないものでありながら、揺動規制を確実に行うことができる。そのうえ、スライド変位体１１と戸先側の規制体１０とを連繋する連繋手段であるピニオン１３、作動ロッド１４、回転体１５、作動アーム１５ａは、沓摺上片７ａの下方に形成される空隙部Ｓに内装されるので、これらの部材が通行の妨げになることはない。
【００２３】
しかも、このものでは、作動アーム１５ａが規制体１０を沓摺上片７ａの下側から持ち上げる状態で規制姿勢に変姿させるが、規制体１０には、ストッパ片１０ｄが設けられ、規制姿勢を越える上方揺動がなされることがないので、第一ドア体１が強く規制体１０を押しやったとしても、規制体１０による第一ドア体１の揺動規制を実現することができ、ドア装置が施錠不良になるような不具合を防止できる。
【００２４】
尚、本発明は前記実施の形態に限定されないことは勿論であって、前記第一の実施の形態では、規制体による第一ドア体の揺動規制を、第一ドア体の閉鎖側面戸先側に規制体を突き当てることにより実施しているが、第一ドア体の下端面戸先側に凹部を形成し、第一ドア体の閉鎖姿勢への変姿に伴い上方揺動する規制体を前記凹部に当接させるように構成することも可能であり、この場合では、規制体にストッパ片を形成する必要はない。
【図面の簡単な説明】
【００２５】
【図１】図１（Ａ）、（Ｂ）はそれぞれドア装置の概略正面図、図１（Ａ）のＸ−Ｘ断面図である。
【図２】図２（Ａ）、（Ｂ）はそれぞれ図１（Ａ）のＹ−Ｙ断面図、要部の縦断面図である。
【図３】図３（Ａ）、（Ｂ）はそれぞれ自動施錠装置を説明する第一ドア体の断面図、第二ドア体の断面図である。
【図４】要部を説明する平面断面図である。
【図５】図５（Ａ）、（Ｂ）、（Ｃ）はそれぞれ規制体の非規制姿勢を説明する側面断面図、規制体の規制姿勢を説明する側面断面図、規制体の規制姿勢を説明する一部を切り欠いた斜視図である。
【図６】図６（Ａ）、（Ｂ）、（Ｃ）はそれぞれスライド変位体の非作用姿勢を説明する側面断面図、スライド変位体の作用姿勢を説明する側面断面図、スライド変位体の作用姿勢を説明する一部を切り欠いた斜視図である。
【符号の説明】
【００２６】
１    第一ドア体
１ｅ    下片部
５    縦枠体
５ａ    枠片
７    沓摺
７ｃ    ロック体受け孔
７ｅ    第一開口
８    自動施錠装置
８ａ    ロック体
１０    規制体
１０ｃ    開放側縁部
１１    スライド変位体
１１ｂ    プレート部
１１ｄ    引っ張り弾機
１２    連繋手段
１３    ピニオン
１４    作動ロッド
１５    回転体
１５ａ    作動アーム
【図１】
2008231770.tif 000003
【図２】
2008231770.tif 000004
【図３】
2008231770.tif 000005
【図４】
2008231770.tif 000006
【図５】
2008231770.tif 000007
【図６】
2008231770.tif 000008